(57)【要約】【課題】着用者の首に襟部を適正に且つ快適に当てて着用することができる理容美容用ケープを提供する。【解決手段】理容美容用ケープは、防水性の前布１と後布２の両側上部間に袖部３が縫着され、前布１、後布２、袖部３の上部中央に、円形開口部１５が形成され、円形開口部１５の周縁にテープ状の布地を被覆した、合せ部付きの襟部６が形成される。襟部６の内側に沿って、帯状のパイル地からなるネック当て布１０が、部分的に取り付けた面ファスナを介して、着脱可能に装着される。ネック当て布１０の上縁部は、パイル地を折り曲げて形成され且つ襟部６より上に突出して形成される。【選択図】図２
2014094100.tif 000002
【特許請求の範囲】
【請求項１】
防水性の前布と後布の両側上部間に袖部が縫着され、該前布、該後布、該袖部の上部中央に、円形開口部が形成され、該円形開口部の周縁にテープ状の布地を被覆した、合せ部付きの襟部が形成されてなる理容美容用ケープにおいて、
該襟部の内側に沿って、帯状のパイル地からなるネック当て布が、部分的に取り付けた面ファスナを介して、着脱可能に装着され、該ネック当て布の上縁部は該パイル地を折り曲げて形成され且つ該襟部より上に突出することを特徴とする理容美容用ケープ。
【請求項２】
前記襟部の外側合せ部の内側に第１面ファスナが縫着され、該襟部の内側合せ部の外側に、該第１面ファスナと重合付着する第２面ファスナが縫着され、該襟部の内側合せ部の内側に第３面ファスナが縫着され、該ネック当て布の一端部の外側に該第３面ファスナと重合付着する第４面ファスナが縫着され、該ネック当て布の中間部の外側に、第５面ファスナが縫着され、該襟部の内側に該第５面ファスナと重合付着する第６面ファスナが縫着され、該ネック当て布の他端部は面ファスナのない自由端として形成されたことを特徴とする請求項１記載の理容美容用ケープ。
【請求項３】
前記ネック当て布は、帯状のパイル地の内側に防水樹脂層をラミネートしてなる帯状のパイル地本体を、長手方向に沿った折り曲げ線で該防水樹脂層を内側にして折り曲げ、合せ縁部を縁布で覆い袋縫いにより縫着して形成されたことを特徴とする請求項２記載の理容美容用ケープ。
【発明の詳細な説明】
【技術分野】
【０００１】
本発明は、美容院や理髪店等において、ヘアカットや洗髪などを行なう際、服の汚れを防ぐために着用する理容美容用ケープに関する。
【背景技術】
【０００２】
美容院や理髪店等で使用するケープは、一般に、前布と後布からなる布地の上部中央に、首を通すための円形開口部を設けて襟部とし、その襟部の両端、或は後布の中央縦方向に設けた重ね合わせ部を、面ファスナ等により止めるように構成されている。また、ケープは、洗髪に使用されて濡れる可能性が大きいため、防水性布が一般に使用される。
【０００３】
しかし、このようなケープは、使用時、洗髪する着用者の体を上から覆うように被せ、開口された襟部或は後布の開口両端を、面ファスナなどで止めて着用するが、ケープの布地は通常、防水布で形成され、着用者を上からすっぽり覆うように着用するため、着用者自身の汗や熱が外部に通して発散しにくく、梅雨時や夏期などには、着用者に蒸し暑い思いをさせる問題があった。
【０００４】
そこで、本出願人は、従来、下記特許文献１により、着用者の蒸し暑さを低減するようにしたケープを提案した。
【先行技術文献】
【特許文献】
【０００５】
【特許文献１】特開平１１−３１８５６１号公報
【発明の概要】
【発明が解決しようとする課題】
【０００６】
このケープは、襟部の内側に、帯状の網地を縫着して構成され、着用者がケープを着用したとき、襟部の内側の網地が着用者の首に当たるようにし、不快な密着感を感じさせないようにしている。しかしながら、襟部の網地は、不快な密着感を感じることはないものの、肌触りに問題があり、着用者が首を動かしたときなど、違和感を感じやすい。
【０００７】
一方、この種のケープの襟部は、着用者の皮膚に直接触れる部分となるため、前の着用者（他人）の皮膚に触れた部分が首の皮膚に触れることから、着用者によっては、嫌悪感を感じる場合がある。
【０００８】
このため、ケープを着用する際、着用者の首の回りに、タオルや帯状の紙を巻き付け、その上からケープの襟部を止めることが行われており、着用者が変わる度にタオルや帯状紙を変えるようにしている。
【０００９】
しかし、例えばタオルを使用する場合、タオルを首に巻いた状態で、その上からケープの襟部を装着すると、襟部の内側が厚くなるため、ケープの襟部の開口部を適正に止められない場合があり、また、ヘアカットや洗髪などの際に、厚いタオルの縁部が首の回りに大きく露出するため、カットした髪や水が多量に付着しやすいという課題があった。
【００１０】
本発明は、上述の課題を解決するものであり、着用者の首に襟部を適正に且つ快適に装着することができる理容美容用ケープを提供することを目的とする。
【課題を解決するための手段】
【００１１】
本発明に係る理容美容用ケープは、防水性の前布と後布の両側上部間に袖部が縫着され、該前布、該後布、該袖部の上部中央に、円形開口部が形成され、該円形開口部の周縁にテープ状の布地を被覆した、合せ部付きの襟部が形成されてなる理容美容用ケープにおいて、該襟部の内側に沿って、帯状のパイル地からなるネック当て布が、部分的に取り付けた面ファスナを介して、着脱可能に装着され、該ネック当て布の上縁部は該パイル地を折り曲げて形成され且つ該襟部より上に突出することを特徴とする。
【００１２】
この発明によれば、着用者の首にタオルや紙を巻かずに、理容美容用ケープの襟部を着用者に装着するのみで、パイル地のネック当て布を着用者の首に当てて、首との間に隙間を作らずにケープの襟部を適正に且つ快適に装着することができる。また、ネック当て布は面ファスナを介して着脱可能に取り付けられるので、着用者が変わる度に新しいものと交換して、着用者には嫌悪感や違和感なく快適に使用することができる。また、パイル地のネック当て布を着用者の首の周りに当てるため、着用者には良好な肌触りで快適にケープを装着することができる。
【００１３】
さらに、ネック当て布の上縁部はパイル地を折り曲げて形成され且つ襟部より上に突出しているので、襟部を着用者の首にきつく巻くことなく、緩く巻き付けるのみで、隙間なく快適に装着することができ、着用者が首を動かしたときでも、容易にその動きにネック当て布を追従させ、隙間を作らず違和感を感じさせずに使用することができる。
【００１４】
ここで、上記理容美容用ケープにおいて、上記襟部の外側合せ部の内側に第１面ファスナが縫着され、該襟部の内側合せ部の外側に該第１面ファスナと重合付着する第２面ファスナが縫着され、該襟部の内側合せ部の内側に第３面ファスナが縫着され、該ネック当て布の一端部の外側に該第３面ファスナと重合付着する第４面ファスナが縫着され、該ネック当て布の中間部の外側に、第５面ファスナが縫着され、該襟部の内側に該第５面ファスナと重合付着する第６面ファスナが縫着され、該ネック当て布の他端部は面ファスナのない自由端とするように構成することが好ましい。
【００１５】
これによれば、ケープを着用者に装着する際、襟部の外側合せ部の第１面ファスナに、その内側合せ部の第２面ファスナを留めるのみで、着用者の首の周りにネック当て布を適正に当てるように簡単に装着することができる。
【００１６】
また、上記理容美容用ケープにおいて、上記ネック当て布は、帯状のパイル地の内側に防水樹脂層（防水樹脂膜）をラミネートしてなる帯状のパイル地本体を、長手方向に沿った折り曲げ線で該防水樹脂層を内側にして折り曲げ、合せ縁部を縁布で覆い袋縫いにより縫着して形成することができる。
【００１７】
これによれば、コンパクトで肌触りの良好なネック当て布とするとともに、ネック当て布が過剰な水分ではなく適度の水分のみを吸収するようにして、着用者には不快感なく快適に着用することができる。
【発明の効果】
【００１８】
この発明の理容美容用ケープによれば、着用者の首にタオルなどを巻かずに簡便に使用することができ、着用者にはケープを適正に且つ快適に着用することができる。
【図面の簡単な説明】
【００１９】
【図１】本発明の一実施形態を示す理容美容用ケープの全体構成図である。
【図２】同理容美容用ケープの上部の部分斜視図である。
【図３】合せ部を外した状態の正面から見た部分斜視図である。
【図４】合せ部を外した状態の背面から見た部分斜視図である。
【図５】ネック当て布を外した状態の背面側から見た部分斜視図である。
【図６】ネック当て布を展開したときの正面図である。
【図７】ネック当て布の拡大部分断面図である。
【発明を実施するための形態】
【００２０】
以下、本発明の一実施形態を図面に基づいて説明する。図１は理容美容用ケープの全体構成図を示し、図２はその前方から見た部分斜視図を、図３はその合せ部を外した状態の部分斜視図を示している。この理容美容用ケープは、撥水性の前布１、後布２、及び袖部３を有し、前布１と後布２と袖部３の上部中央に円形開口部１５が形成され、円形開口部１５の周縁にテープ状の布地を被覆した襟部６が形成されて構成される。
【００２１】
理容美容用ケープの前布１と後布２の上部に袖部３が縫着され、後布２は縦に二分割されて、後ろ開きのケープとされ、後布２に合せ部が形成されている。前布１、後布２、袖部３、及び襟部６の布地は、例えばナイロンタフタなどの撥水性を有する布地から形成される。ケープ布地は、ナイロンタフタのほか、撥水性を有するポリエステルタフタ、ポリエステルトリコットの布地から形成することもできる。
【００２２】
撥水性を有するケープ布地の使用により、水などの液体がケープに付着したときの、染込みなどを防止することができる。また、ナイロンタフタやポリエステルタフタには、生地の表面に凹凸を付ける皺加工を施すことができ、皺加工により生地の表面に凹凸を付け、これによって、カットした髪の毛がケープ表面に密着しにくくし、髪の毛を落とし易くすることができる。
【００２３】
また、ケープを洗髪などに使用する場合、前布１、後布２、袖部３、及び襟部６には、防水性布を使用することもできる。防水性布には、例えばポリエステルトリコットの表面に薄いポリエチレンフィルムをラミネートしたもの、或いは、ポリエステルトリコットの表面に合成樹脂層をコーティングした布地を使用することができる。
【００２４】
理容美容用ケープは、前布１、後布２、左右の袖部３が、図１に示すように、縫着して構成され、その上端部中央に、図２に示す円形開口部１５が形成され、その円形開口部１５は、後布２の縦方向の分離によって開口可能であり、後開きの襟部６が上端部中央に形成される。襟部６は、円形開口部１５の周縁にテープ状布を縫着して形成され、襟部６のテープ状布は、前布１、後布２、左右の袖部３の上端部を巻き付けるように縫着し形成される。
【００２５】
上記のように、後開きのケープでは、後布２が縦に二分割され、図３，４の如く、襟部６の後部が開口して形成され、襟部６の一方には外側合せ部５が形成され、襟部６の他方に内側合せ部７が形成される。さらに、その開口部を合せて閉じるように、図３，４に示す如く、襟部６の外側合せ部５の内側に第１面ファスナ８が縫着され、襟部６の内側合せ部７の外側に、第１面ファスナ８と重合付着する第２面ファスナ９が縫着されている。第１面ファスナ８と第２面ファスナ９は、対をなしており、重合付着することができる。また、図示は省略されているが、後布２の重ね合せ部の両端部にも面ファスナが縫付けられる。
【００２６】
なお、第１面ファスナ８、第２面ファスナ９には黒色系の面ファスナを使用することが好ましい。通常、理容美容用ケープの使用時、面ファスナには髪の毛が付着しやすく汚れが目立ちやすいが、黒色或いは黒色系の面ファスナを設けることにより、髪の毛が付着しても、汚れが目立たないようにすることができる。
【００２７】
さらに、図３，４、図５，６に示すように、襟部６の内側に沿って、帯状のパイル地からなるネック当て布１０が、部分的に取り付けた面ファスナを介して、着脱可能に装着される。ネック当て布１０は、図６，７のように、帯状のパイル地を、その長手方向に沿った折り曲げ線Ｂで折り曲げて、帯状に形成される。ネック当て布１０には綿のパイル地を使用することが好ましいが、化学繊維のパイル地を使用することもでき、パイル地であれば、柔らかく良好な肌触りを生じさせることができる。また、ネック当て布１０のパイル地の内側には、ウレタン樹脂等の防水性の合成樹脂層がラミネートされている。
【００２８】
すなわち、ネック当て布１０は、図６，７に示すように、帯状のパイル地の内側にウレタン樹脂等の防水樹脂層１０ｂをラミネートしてなる帯状のパイル地本体１０ａが使用される。パイル地本体１０ａは長手方向に沿った折り曲げ線Ｂ（長手方向の中央線）で、防水樹脂層１０ｂを内側にして折り曲げ、合せ縁部を袋縫いにより縫着して形成されるが、特に合せ縁部はさらに帯状の縁布１０ｃで覆い袋縫いにより縫着されている。ネック当て布１０の両端のパイル地縁部は内側に折り込まれて接着されている。
【００２９】
さらに、ネック当て布１０を襟部６の内側に着脱可能に留めるために、図６に示すように、第４面ファスナ１２と第５面ファスナ１３がネック当て布１０の外側に縫着される。第４面ファスナ１２はネック当て布１０の一端部近傍の外側に縫着され、第５面ファスナ１３は布の長手方向に複数個に分かれて縫着される。また、ネック当て布１０は、襟部６の幅より幅広に形成され、襟部６の内側に留められた状態で、その上縁部が襟部６より上に突出するように、図６のように、第４面ファスナ１２と第５面ファスナ１３はネック当て布１０の中央より下側に配置されている。
【００３０】
一方、対応する位置の襟部６の内側には、第４面ファスナ１２と対をなす第３面ファスナ１１、及び第５面ファスナ１３と対をなす第６面ファスナ１４が複数個縫着されている。
【００３１】
つまり、図５に示すように、襟部６の内側合せ部７の内側には、第３面ファスナ１１が縫着され、ネック当て布１０の一端部の外側には、その第３面ファスナ１１と重合付着する第４面ファスナ１２が縫着される。さらに、図６に示すように、ネック当て布１０の中間部の外側には、２個の第５面ファスナ１３が位置をずらして縫着され、襟部６の内側には、図５の如く、第５面ファスナ１３と重合付着する位置に、２枚の第６面ファスナ１４が位置をずらして縫着される。一方、ネック当て布１０の他端部（図６の右側端部）は、面ファスナのない自由端とされ、着用者の首の周りの長さに応じて、巻き付け長さを可変としている。
【００３２】
また、上記のように、ネック当て布１０の第４面ファスナ１２、第５面ファスナ１３の上下位置は、図６の如く、中央位置から下側に偏移して縫着され、襟部６の内側の第３面ファスナ１１及び第６面ファスナ１４に、第４面ファスナ１２及び第５面ファスナ１３を重合付着してネック当て布１０を、襟部６の内側に留めたとき、ネック当て布１０の上縁部が襟部６より上に突き出すようになっている。なお、パイル地及びネック当て布１０を留める面ファスナには、黒色或いは黒色系のものが使用され、上記と同様に、髪の毛が付着しても、汚れが目立たないようにしている。
【００３３】
このように構成された理容美容用ケープは、美容院や理髪店等で、ヘアカットなどの際に使用されるが、着用の際には、襟部６の内側に、図５のように、ネック当て布１０を留めて使用する。ネック当て布１０は、その一端部の外側面に縫着された第４面ファスナ１２を、襟部６の一端部内側の第３面ファスナ１１と重合付着させ、第５面ファスナ１３を、襟部６の中間部の２箇所の第５面ファスナ１３と重合付着させ、留める。
【００３４】
このとき、ネック当て布１０の他端部近傍には面ファスナが設けてないので、ネック当て布１０の他端部は自由端となって、フリーの状態となるので、後布２を開いた状態で、着用者の腕を袖部３に通して着用し、その後、襟部６を着用者の首の周りに沿わせて留める際、ネック当て布１０の自由端を、着用者の首と襟部６の内側合せ部７との間に入れるようにして、襟部６の他端部の外側合せ部７内側の第１面ファスナ８を、襟部６の一端部の内側合せ部７の第２面ファスナ９に重合付着させ、留める。
【００３５】
これにより、着用者の首の周りには、ネック当て布１０が適正に当てられ、その上から襟部６が覆うように押さえて装着される。このとき、ネック当て布１０の外側合せ部側（他端部側）が自由端となっているので、細い首の着用者から太い首の着用者まで、首の周りに適正にネック当て布１０を緩やかに当て、ケープを簡単に着用者に装着することができる。
【００３６】
また、ケープを装着された着用者は、その首を襟部６の内側のネック当て布１０によって柔らかく巻かれ、ネック当て布１０のパイル地が着用者の首に当ることから、着用者は良好な肌触りでケープを着用することができる。
【００３７】
さらに、ネック当て布１０は、通常のタオルなどに比べコンパクトに薄く形成されるため、襟部の内側が厚くなることはなく、ケープの襟部６の合せ部を適正に止め、違和感なく着用することができる。また、ネック当て布１０の上縁部はパイル地を折り曲げて形成され且つ襟部６より上に突出しているので、襟部６を着用者の首にきつく巻くことなく、緩く巻き付けるのみで、隙間なく快適にケープを装着することができ、着用者が首を動かしたときでも、容易にその動きにネック当て布１０を追従させ、隙間を作らず違和感を感じさせずに着用することができる。
【００３８】
さらに、ネック当て布１０の他端部は面ファスナのない自由端とされているので、ケープを着用者に装着する際、襟部６の外側合せ部５の第１面ファスナ８に、その内側合せ部７の第２面ファスナ９を留めるのみで、着用者の首の周りにネック当て布１０を適正に当てるように簡単に装着することができる。また、ネック当て布１０は面ファスナを介して簡単に着脱することができるので、理容店や美容院では、顧客が変わる度にネック当て布１０をケープから外し、新たなネック当て布を装着し、顧客には快適にケープを着用してもらうことができる。
【００３９】
また、ネック当て布１０は、帯状のパイル地の内側に防水樹脂層１０ｂをラミネートしてなる帯状のパイル地本体１０ａを、長手方向に沿った折り曲げ線Ｂで防水樹脂層１０ｂを内側にして折り曲げ、合せ縁部を縁布１０ｃで覆い袋縫いにより縫着して形成されるから、コンパクトで肌触りの良好なネック当て布とするとともに、ネック当て布１０が過剰な水分ではなく適度の水分のみを吸収するようにして、着用者には不快感なく快適に着用することができる。
【符号の説明】
【００４０】
１      前布
２      後布
３      袖部
５      外側合せ部
６      襟部
７      内側合せ部
８      第１面ファスナ
９      第２面ファスナ
１０    ネック当て布
１０ａ  パイル地本体
１０ｂ  防水樹脂層
１０ｃ  縁布
１１    第３面ファスナ
１２    第４面ファスナ
１３    第５面ファスナ
１４    第６面ファスナ
１５    円形開口部
【図１】
2014094100.tif 000003
【図２】
2014094100.tif 000004
【図３】
2014094100.tif 000005
【図４】
2014094100.tif 000006
【図５】
2014094100.tif 000007
【図６】
2014094100.tif 000008
【図７】
2014094100.tif 000009